【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
音量調整画面を少なくとも表示可能な画像表示手段と、
複数の操作手段と、
音出力手段と、
を備えた遊技台であって、
前記遊技台は、ぱちんこ機であり、
前記複数の操作手段のうちの少なくとも一つは、第二の操作手段であり、
前記第二の操作手段は、第二の位置に少なくとも設けられた操作手段であり、
前記音出力手段から出力される出力音の音量調整のために、前記第二の操作手段が操作される場合があり、
複数の状態のうちの一の状態から第一の状態に前記第二の操作手段を操作可能であり、
複数の状態のうちの一の状態から第二の状態に前記第二の操作手段を操作可能であり、
前記第一の状態と第二の状態は別の状態であり、
前記第二の操作手段が操作されて前記第一の状態となった後で前記音量調整画面において表示される音量と前記第二の操作手段が操作されて前記第二の状態となった後で前記音量調整画面において表示される音量が同じである、
ことを特徴とする遊技台。
【請求項２】
請求項１に記載の遊技台であって、
前記第二の操作手段が前記第一の状態となるように操作された場合の前記出力音の音量は、第一の音量であり、
前記第二の操作手段が前記第二の状態となるように操作された場合の前記出力音の音量は、第二の音量であり、
前記第一の音量と前記第二の音量は別の音量である、
ことを特徴とする遊技台。
【請求項３】
請求項１又は請求項２に記載の遊技台であって、
複数の状態のうちの一の状態から第三の状態に前記第二の操作手段を操作可能であり、
前記第一の状態と第二の状態は別の状態であり、
前記第二の状態と第三の状態は別の状態であり、
前記第二の操作手段が前記第三の状態となるように操作された場合の前記出力音の音量は、前記第一の音量であり、
前記第二の操作手段が操作されて前記第一の状態となった後で前記音量調整画面において表示される音量と前記第二の操作手段が操作されて前記第三の状態となった後で前記音量調整画面において表示される音量が異なる、
ことを特徴とする遊技台。
【請求項４】
請求項１乃至請求項３のいずれか一項に記載の遊技台であって、
前記複数の操作手段のうちの少なくとも一つは、第一の操作手段であり、
前記第一の操作手段は、第一の位置に少なくとも設けられた操作手段であり、
前記第一の位置は、ぱちんこ機の前面側であって、遊技者が操作可能な位置であり、
前記第二の位置は、ぱちんこ機の裏面側であって、遊技者が操作できない位置であり、
前記音出力手段から出力される出力音の音量調整のために、前記第一の操作手段が操作される場合があり、
前記音量調整画面が前記画像表示手段に表示されている状態で前記第一の操作手段が操作されたことに応じて、前記出力音の音量が調整され、調整後の音量が該音量調整画面によって示されるように構成されており、
前記音量調整画面が前記画像表示手段に表示されている状態で前記第二の操作手段が操作されたことに応じて、前記出力音の音量の調整がされるように構成されており、
前記音量調整画面が前記画像表示手段に表示されている状態で前記第二の操作手段が操作されたことに応じて、該音量調整画面が終了するように構成されている、
ことを特徴とする遊技台。
【請求項５】
請求項４に記載の遊技台であって、
第一の制御手段と、
を備え、
前記第一の制御手段は、前記第一の操作手段によって調整された音量と前記第二の操作手段によって調整された音量が異なる場合に、該第二の操作手段によって調整された音量で前記音出力手段から出力音を出力可能な制御手段である、
ことを特徴とする遊技台。
【請求項６】
請求項４又は請求項５に記載の遊技台であって、
光出力手段と、
を備え、
前記第一の操作手段は、前記光出力手段から出力される光の輝度を少なくとも調整可能な操作手段であり、
前記第二の操作手段は、前記光出力手段から出力される光の輝度を少なくとも調整可能な操作手段である、
ことを特徴とする遊技台。
【請求項７】
請求項５、又は、請求項５を引用する請求項６に記載の遊技台であって、
第二の制御手段と、
を備え、
前記第一の制御手段は、前記第二の制御手段からのコマンドに応じた制御を少なくとも実行可能な制御手段である、
ことを特徴とする遊技台。
【手続補正２】
【補正対象書類名】明細書
【補正対象項目名】０００４
【補正方法】変更
【補正の内容】
【０００４】
しかしながら、従来の遊技台は、複数の操作手段による処理に改良の余地がある。
【手続補正３】
【補正対象書類名】明細書
【補正対象項目名】０００５
【補正方法】変更
【補正の内容】
【０００５】
本発明の目的は、複数の操作手段による処理に特徴を持った遊技台を提供することにある。
【手続補正４】
【補正対象書類名】明細書
【補正対象項目名】０００６
【補正方法】変更
【補正の内容】
【０００６】
本発明に係る遊技台は、音量調整画面を少なくとも表示可能な画像表示手段と、複数の操作手段と、音出力手段と、を備えた遊技台であって、前記遊技台は、ぱちんこ機であり、前記複数の操作手段のうちの少なくとも一つは、第二の操作手段であり、前記第二の操作手段は、第二の位置に少なくとも設けられた操作手段であり、前記音出力手段から出力される出力音の音量調整のために、前記第二の操作手段が操作される場合があり、複数の状態のうちの一の状態から第一の状態に前記第二の操作手段を操作可能であり、複数の状態のうちの一の状態から第二の状態に前記第二の操作手段を操作可能であり、前記第一の状態と第二の状態は別の状態であり、前記第二の操作手段が操作されて前記第一の状態となった後で前記音量調整画面において表示される音量と前記第二の操作手段が操作されて前記第二の状態となった後で前記音量調整画面において表示される音量が同じである、ことを特徴とする遊技台である。
【手続補正５】
【補正対象書類名】明細書
【補正対象項目名】０００７
【補正方法】変更
【補正の内容】
【０００７】
本発明によれば、複数の操作手段による処理に特徴を持った遊技台を実現できる。
【手続補正６】
【補正対象書類名】明細書
【補正対象項目名】０９６１
【補正方法】変更
【補正の内容】
【０９６１】
この第２出力設定スイッチ１９４は、切欠き窓１９４ｂから見える数値の情報を検出信号として外部に出力可能に構成されており、例えば、図８７（ｃ）に示すように、切欠き部１９４ｂから見える数値が「Ｆ」である場合には、１６進数のＦの数値情報を２進数４ビットの検出信号（０ｂ１１１１）として出力可能である。したがって、制御手段（例えば、第１副制御部４００）は、この検出信号を入力することで、第２出力設定スイッチ１９４の切欠き部１９４ｂから見える数値（本例では、１６進数の０〜Ｆの数値のいずれか）を検出することが可能な構成となっている。
本例に係る遊技台は、音量調整画面を少なくとも表示可能な画像表示手段（例えば、図１８６に示す装飾図柄表示装置２０８）と、複数の操作手段と、音出力手段（例えば、図８６に示すスピーカ１２０）と、を備えた遊技台であって、前記遊技台は、ぱちんこ機であり、前記複数の操作手段のうちの少なくとも一つは、第二の操作手段（図５３や図８７（ｃ）に示す第２出力設定スイッチ１９４）であり、前記第二の操作手段は、第二の位置に少なくとも設けられた操作手段であり、前記音出力手段から出力される出力音の音量調整のために、前記第二の操作手段が操作される場合があり、複数の状態のうちの一の状態から第一の状態（例えば、図８７（ａ）に示す設定「６」、「目盛２」の状態）に前記第二の操作手段を操作可能であり、複数の状態のうちの一の状態から第二の状態（例えば、図８７（ａ）に示す設定「５」、「目盛２」の状態）に前記第二の操作手段を操作可能であり、前記第一の状態と第二の状態は別の状態であり、前記第二の操作手段が操作されて前記第一の状態となった後で前記音量調整画面において表示される音量（例えば、目盛２）と前記第二の操作手段が操作されて前記第二の状態となった後で前記音量調整画面において表示される音量が同じである、ことを特徴とする遊技台である。
本例に係る遊技台によれば、複数の操作手段による処理に特徴を持った遊技台を実現できる。なお、前記第二の操作手段が前記第一の状態となるように操作された場合の前記出力音の音量は、第一の音量（例えば、音圧１１４ｄｂ）であり、前記第二の操作手段が前記第二の状態となるように操作された場合の前記出力音の音量は、第二の音量（例えば、音圧９１ｄｂ）であり、前記第一の音量と前記第二の音量は別の音量であってもよい。また、複数の状態のうちの一の状態から第三の状態（例えば、図８７（ａ）に示す設定「１」、「目盛５」の状態）に前記第二の操作手段を操作可能であり、前記第一の状態と第二の状態は別の状態であり、前記第二の状態と第三の状態は別の状態であり、前記第二の操作手段が前記第三の状態となるように操作された場合の前記出力音の音量は、前記第一の音量であり、前記第二の操作手段が操作されて前記第一の状態となった後で前記音量調整画面において表示される音量と前記第二の操作手段が操作されて前記第三の状態となった後で前記音量調整画面において表示される音量が異なっていてもよい。また、前記複数の操作手段のうちの少なくとも一つは、第一の操作手段（図５２や図８７（ｂ）に示す第１出力設定スイッチ１９０）であり、前記第一の操作手段は、第一の位置に少なくとも設けられた操作手段であり、前記第一の位置は、ぱちんこ機の前面側であって、遊技者が操作可能な位置であり、前記第二の位置は、ぱちんこ機の裏面側であって、遊技者が操作できない位置であり、前記音出力手段から出力される出力音の音量調整のために、前記第一の操作手段が操作される場合があり、前記音量調整画面が前記画像表示手段に表示されている状態で前記第一の操作手段が操作されたことに応じて、前記出力音の音量が調整され、調整後の音量が該音量調整画面によって示されるように構成されており、前記音量調整画面が前記画像表示手段に表示されている状態で前記第二の操作手段が操作されたことに応じて、前記出力音の音量の調整がされるように構成されており、前記音量調整画面が前記画像表示手段に表示されている状態で前記第二の操作手段が操作されたことに応じて、該音量調整画面が終了するように構成されていてもよい。
また、第一の制御手段（例えば、図１５３に示す第１副制御部４００）と、を備え、前記第一の制御手段は、前記第一の操作手段によって調整された音量と前記第二の操作手段によって調整された音量が異なる場合に、該第二の操作手段によって調整された音量で前記音出力手段から出力音を出力可能な制御手段であってもよい。また、光出力手段（例えば、図１５４に示すランプ４１８）と、を備え、前記第一の操作手段は、前記光出力手段から出力される光の輝度を少なくとも調整可能な操作手段であり、前記第二の操作手段は、前記光出力手段から出力される光の輝度を少なくとも調整可能な操作手段であってもよい。また、第二の制御手段（例えば、図１５３に示す主制御部３００）と、を備え、前記第一の制御手段は、前記第二の制御手段からのコマンドに応じた制御を少なくとも実行可能な制御手段であってもよい。また、当否判定を少なくとも実行可能な当否判定手段（例えば、図１６０に示す特図２（特図１）関連抽選処理）と、を備え、前記第二の制御手段は、前記当否判定手段を少なくとも含む制御手段であってもよい。また、前記第一の制御手段は、前記コマンドに応じて、前記音出力手段の制御を少なくとも実行可能な制御手段であってもよい。また、複数の制御基板を備え、前記複数の制御基板のうちの少なくとも一つは、第一の制御基板（例えば、図１４９に示す第１副基板１６０）であり、前記複数の制御基板のうちの少なくとも一つは、第二の制御基板（例えば、図１４９に示す主基板１５６）であり、前記第一の制御手段は、前記第一の制御基板を少なくとも含んで構成される制御手段であり、前記第二の制御手段は、前記第二の制御基板を少なくとも含んで構成される制御手段であってもよい。